(57)【要約】本発明は、ばね９の第１の端部１４が少なくとも間接的にピストン１に支持され、第２の端部１５がピストン１と相対的に摺動可能な保持装置８に支持され、ピストン１と相対的な保持装置の移動が固定保持手段３，４によって制限されている、シリンダ、特に自動車のタンデム式マスターシリンダのための拘束されたばね９を有するピストンユニットに関する。本発明の要部は、固定保持手段３，４がピストン１に取り外し不能に配置された突起３を備え、この突起の自由端１６に、ピストン１と相対的な保持装置８の運動を制限するストッパー４が設けられていることにある。
2005520731.tif 000002
【特許請求の範囲】
【請求項１】
ばね（９）の第１の端部（１４）が少なくとも間接的にピストン（１）に支持され、第２の端部（１５）がピストン（１）と相対的に摺動可能な保持装置（８）に支持され、ピストン（１）と相対的な保持装置の移動が固定保持手段（３，４）によって制限されている、シリンダ、特に自動車のタンデム式マスターシリンダのための拘束されたばね（９）を有するピストンユニットにおいて、固定保持手段（３，４）がピストン（１）に取り外し不能に配置された突起（３）を備え、この突起の自由端（１６）に、ピストン（１）と相対的な保持装置（８）の運動を制限するストッパー（４）が設けられていることを特徴とするピストンユニット。
【請求項２】
突起（３）が好ましくは押出しによってピストン（１）に一体に成形されていることを特徴とする、請求項１記載のピストンユニット。
【請求項３】
ストッパー（４）がピストン（１）にかみ合うように固定されていることを特徴とする、請求項１または２記載のピストンユニット。
【請求項４】
突起（３）が円筒形であり、かつ少なくとも自由端（１６）の範囲にディスク（４）を支持するための段部（１８）を備えていることを特徴とする、請求項３記載のピストンユニット。
【請求項５】
ストッパー（４）が突起（３）に鋲止めされたリング状のディスクによって形成されていることを特徴とする、請求項４記載のピストンユニット。
【請求項６】
ストッパー（４）がウォッブルリベットによってピストン（１）に固定されていることを特徴とする、請求項５記載のピストンユニット。
【請求項７】
ストッパー（４）が突起（３）の自由端（１６）を変形させることによって形成されていることを特徴とする、請求項１または２記載のピストンユニット。
【請求項８】
ピストン（１）が底部（１０）と、この底部から突出するコップ状部（２）とを備え、このコップ状部がばね（９）と突起（３）を少なくとも部分的に収容していることを特徴とする、請求項１〜７のいずれか一つに記載のピストンユニット。
【請求項９】
ピストン（１）が押出し方法によって成形され、ピストンが外面（１９）に、ピストン（１）を動かす押圧ロッドを収容するための凹部（１３）を備えていることを特徴とする、請求項１〜８のいずれか一つに記載のピストンユニット。
【発明の詳細な説明】
【技術分野】
【０００１】
本発明は、ばねの第１の端部が少なくとも間接的にピストンに支持され、第２の端部がピストンと相対的に摺動可能な保持装置に支持され、ピストンと相対的な保持装置の移動が固定保持手段によって制限されている、シリンダ、特に自動車のタンデム式マスターシリンダのための拘束されたばねを有するピストンユニットに関する。
【背景技術】
【０００２】
このようなピストンユニットは例えば特許文献１に示されている。この特許文献１には、自動車のブレーキシステムのためのマスターシリンダが記載されている。このマスターシリンダは、並べて配置された２個のピストンを備えたシリンダである。このピストンによって、分離された２個のブレーキ回路がブレーキ圧力で駆動される。
【０００３】
２個のピストンを備えたマスターシリンダ（タンデム式マスターシリンダ）の場合、両ピストンがそれによって画成された２つの圧力室をできるだけ同時に閉鎖し、両ブレーキ回路内の圧力を同時に上昇させることが必要である。従って、両ピストンが初期位置で互いに所定の間隔を有する必要がある。この間隔は入口側で操作されるピストン（一次ピストン）の拘束されたばねによって決定される。一次ピストンのばねは第２のピストン（二次ピストン）を戻すばねよりも大きな剛性を有するので、両ピストンの運動開始時に、第２のばねは撓み、予め定めた間隔の両ピストンは、容器の方に案内された穴を同時に閉鎖する。拘束の位置によって定められる、一次ピストンの第１のばねの長さを調節できるようにするために、特許文献１では、ボルトが設けられている。このボルトの頭はボルトと相対的に動くスリーブのためのストッパーを形成している。この場合、スリーブの自由端は剛性のあるばねの自由端を支持している。ばねの他端は一次ピストンに接触している。公知のピストンユニットの場合、ボルトを調節することにより、ばねの長さを調節することができる。この公知のピストンユニットの場合、ボルトとピストンがねじを有していなければならず、そしてボルトがピストンと相対的に回転可能であるという欠点がある。
【特許文献１】ドイツ連邦共和国特許出願公開第３３１２１９２号公報
【発明の開示】
【発明が解決しようとする課題】
【０００４】
本発明の課題は、ピストンユニットの構造を簡単化し、同時にピストンユニットの作用の信頼性を改善することである。
【課題を解決するための手段】
【０００５】
この課題は、固定保持手段がピストンに取り外し不能に配置された突起を備え、この突起の自由端に、ピストンと相対的な保持装置の運動を制限するストッパーが設けられていることによって解決される。本発明は原理的には、突起をピストンに取り外し不能に配置したとにある。突起の位置変更は確実に排除される。
【０００６】
本発明では、突起が変形技術によってピストンに設けられるかあるいはピストンに溶接、接着されるかあるいは摩擦接触によってくさび止めまたは鋲止めされる。従って、突起をピストンに取り外し不能に簡単に連結するすべての連結技術が本発明に含まれる。
【０００７】
本発明は１個のピストンを有するマスターシリンダにおいても使用することができる。シリンダを必ずしもブレーキシステムのために使用する必要はない。
【０００８】
突起の製作のためにきわめて有利な解決策では、突起が好ましくは押出しによってピストンに一体に成形されている。すなわち、本発明による突起はピストンの材料から形づくられる。それによって、突起をピストンに連結するための付加的な加工工程が不要である。そのために、適当な工作物が然るべく形成された型に入れられ、ピストンが突起を含めてダイスによって成形される。その際、突起を形成するために、材料はダイスの開口内に流れる。しかし、突起はピストン材料を旋削することによって形成してもよい。
【０００９】
既に述べたように、ばねの長手方向の最大伸長長さを定めるストッパーを設ける必要がある。その際、タンデム式マスターシリンダを規定通りに作動させるためには、ストッパーの位置を非常に正確に定めなければならない。ストッパーは好ましくはピストンにかみ合うように固定されている。
【００１０】
きわめて小さな許容誤差を保つことができるようにするために、突起は好ましくは円筒形であり、かつ少なくとも自由端の範囲にディスクを支持するための段部を備えている。
【００１１】
本発明の有利な実施形では、ストッパーが突起に鋲止めされたリング状のディスクによって形成されている。その際、段部はディスクの位置を決定する。リング状のディスクは段部に載せることができる。この場合、突起の肩部はリング状のディスクの穴から突出している。この突起は適当な変形技術、好ましくはウォッブルリベットによって変形可能であり、それによってディスクを突起に取り外し不能に連結する。しかし、本発明では、ディスクを溶接または鋲止めによって突起に取り外し不能に連結することができる。
【００１２】
ストッパーは好ましくは、突起の端範囲をすえ込みによって広げることによって形成される。それによって、ピストンシリンダユニットの部品の数を減らすことができる。
【００１３】
本発明の有利な実施形では、ピストンが底部と、この底部から突出するコップ状部とを備え、このコップ状部がばねと突起を少なくとも部分的に収容している。このような形状を達成するために、ダイスの外壁と型の内壁の間に自由空間が設けられ、この自由空間内に材料が流入する。ピストンのための適当な材料として、アルミニウムが適していることがわかった。しかし、鋼、真鍮または合成樹脂のような他の変形可能な材料を使用することができる。ピストンのこの形状により、必要スペースが低減される。
【００１４】
ピストンが押出し方法によって成形され、ピストンが外面に、ピストンを動かす押圧ロッドを収容するための凹部を備えていることにより、シリンダ内でのピストンの組み立てが簡単になる。
【発明を実施するための最良の形態】
【００１５】
次に、本発明の実施の形態を図に基づいて説明する。
【００１６】
図１にはピストン１の断面が示してある。ピストン１は底部１０とこの底部から突出するコップ状部２を備えている。コップ状部２内において円筒状の突起３がピストン１の中心軸線Ｍに沿って延びている。突起３とコップ状部２はピストン１の材料から押し出しによって形成される。
【００１７】
突起３の自由端１６には段部１８が成形されている。この段部はリング状ディスクとして形成されたストッパー４のための支持部としての働きをする。破線で示した突起３の肩部１１はリング状ディスク４の開口から突出し、例えばウォッブルリベット（みそすりリベット）によってリベット頭５になるように変形可能である。その結果、ディスク４は突起３に取り外し不能に連結される。
【００１８】
肩部１１と段部１８は突起３の旋削によって製作可能である。段部１８によって、ディスク４の位置がきわめて正確に定められ、小さな許容誤差が保たれる。
【００１９】
ディスク４のピストン１側には、保持装置８の半径方向内向きのフランジ６が係合している。この保持装置はスリーブとして形成されている。このスリーブ８は自由端に、半径方向外向きの周方向に延びるフランジ７を備えている。ばね９は第１の端部１４が、ピストン１の底部１０に支持され、第２の端部１５がスリーブ８のフランジ７に支持され、予圧縮されている。縦方向におけるばね９の最大長さはスリーブ８によって決定される。ディスク４はピストン１と相対的なスリーブ８の移動を制限する。
【００２０】
突起３の自由端１６をすえ込むことにより、ディスク４の位置を定めることができる。事情によっては、自由端１６のすえ込みによってスリーブ８用のストッパー４を形成することにより、ディスク４の使用を省略することができる。この場合、突起３は、ストッパー４が正しい位置に達するまですえ込まれる。
【００２１】
ピストン１の外面１９には、ピストン１を動かす押圧ロッドを収容する働きをする凹部１３が設けられている。
【図面の簡単な説明】
【００２２】
【図１】本発明によるスイッチの断面図である。
【図１】
2005520731.tif 000003
【国際調査報告】
2005520731.tif 000004
2005520731.tif 000005
2005520731.tif 000006
2005520731.tif 000007
2005520731.tif 000008
2005520731.tif 000009